(57)【要約】【課題】信頼性及び、組み立ての作業効率が高い制御装置を提供する。【解決手段】照明器具の制御装置１Ａは、底面が開放された箱状ケース１０と、上面が開放され、開放された上面側に箱状ケース１０が重ね合わされた箱状ケース２０と、照明器具に接続するための端子部１２Ｒ、１２Ｌと、照明器具を制御するための第２回路基板２１と、端子部１２Ｒ、１２Ｌから延びる接続線３０Ｒ、３０Ｌを第２回路基板２１に接続する接続部２４と、備える。接続部２４は、箱状ケース１０の４つの側板のうちの、左側板１０Ｌに配設され、第２回路基板２１は、箱状ケース２０に収容される。また、接続部２４は、箱状ケース２０内部かつ、その内部の中央に対して、左側板２０Ｌ側に配設されている。【選択図】図１
2018152377.tif 000002
【特許請求の範囲】
【請求項１】
底面が開放された第１箱状ケースと、
上面が開放され、開放された上面側に前記第１箱状ケースが重ね合わされた第２箱状ケースと、
前記第１箱状ケース及び前記第２箱状ケースのいずれか一方の内部かつ、該内部の中央に対して側壁の一部の側に配設され、外部装置に接続するための端子部と、
前記第１箱状ケース及び前記第２箱状ケースのいずれか他方に収容され、前記外部装置を制御するための電気部品と、
前記第１箱状ケース及び前記第２箱状ケースのいずれか他方の内部かつ、該内部の中央に対して前記側壁の一部の側に配設され、前記端子部から延びる接続線を前記電気部品に接続する接続部と、
を備える、
前記外部装置を制御する制御装置。
【請求項２】
前記電気部品は、
回路基板と、
前記接続部が設けられ、前記接続部と前記回路基板とを接続する配線基板と、
を有する、
請求項１に記載の制御装置。
【請求項３】
前記第１箱状ケース及び前記第２箱状ケースのいずれか一方の、側壁の一部には、前記第１箱状ケース及び前記第２箱状ケースのいずれか他方を回動可能に支持するヒンジが設けられている、
請求項１又は２に記載の制御装置。
【請求項４】
前記外部装置は、照明器具であり、
前記制御装置は、分電盤内に設置される、
請求項１から３のいずれか１項に記載の制御装置。
【請求項５】
底面が開放された第１箱状ケースと、上面が開放された第２箱状ケースと、を備え、前記第１箱状ケース及び前記第２箱状ケースのいずれか一方に、側壁の一部に配設された端子部が設けられ、前記第１箱状ケース及び前記第２箱状ケースのいずれか他方に、電気部品及び接続部が収容された外部装置を制御する制御装置の製造方法であって、
前記第１箱状ケース及び前記第２箱状ケースのいずれか他方の側壁の一部の側に、前記電気部品に接続した接続部を配設する工程と、
前記第１箱状ケースの底面と、前記第２箱状ケースの上面とを同じ側に向け、かつ前記第１箱状ケース及び前記第２箱状ケースのいずれか一方の、前記側壁の一部と、前記第１箱状ケース及び前記第２箱状ケースのいずれか他方の側壁の一部と、を隣り合う状態に、前記第１箱状ケースと前記第２箱状ケースとを配置する工程と、
前記第１箱状ケースと前記第２箱状ケースとを配置した後に、前記第１箱状ケース及び前記第２箱状ケースのいずれか一方の、前記端子部と、前記第１箱状ケース及び前記第２箱状ケースのいずれか他方の、前記接続部と、を接続線で接続する工程と、
前記端子部と前記接続部とを接続した後に、前記第１箱状ケースの前記底面を前記第２箱状ケースの上面に向けた状態にして、前記第２箱状ケースに前記第１箱状ケースを重ね合わせる工程と、
を備える、制御装置の製造方法。
【発明の詳細な説明】
【技術分野】
【０００１】
本発明は制御装置及び制御装置の製造方法に関する。
【背景技術】
【０００２】
制御装置には、分電盤内に配置されるものがある。このような制御装置の場合、制御装置の電位部品を分電盤の蓋、部品等から保護するため、保護ケースを備える。
【０００３】
例えば、特許文献１には、上面が開放された第１箱状ケースと、底面が開放され、開放された底面側を後部ケース側に向けた状態で、第１箱状ケースに重ね合わされた第２箱状ケースとを、備える照明器具の制御装置が開示されている。
【０００４】
特許文献１に記載の照明器具の制御装置では、第１箱状ケースに、伝送回路が形成された回路基板が収容されている。一方、第２箱状ケースに、外部機器から延在する電線と接続されるコネクタ端子と、回路基板が接続される伝送端子と、が設けられている。そして、回路基板とコネクタ端子、回路基板と伝送端子は、第１箱状ケース及び第２箱状ケースの内部で、２つの接続線によって接続されている。
【先行技術文献】
【特許文献】
【０００５】
【特許文献１】特開２００４−２４２２４８号公報
【発明の概要】
【発明が解決しようとする課題】
【０００６】
特許文献１に記載の照明器具の制御装置では、コネクタ端子、伝送端子が、第２箱状ケースの互いに対向する２つの側壁それぞれの、第２箱状ケースの内側に配設されている。このため、制御装置の組み立てでは、まず、第２箱状ケースの２つの側壁の内側面それぞれを見ながら、第１箱状ケース内に収容された回路基板から延びる２つの接続線を、コネクタ端子、伝送端子にそれぞれ接続することになる。次に、第１箱状ケースと第２箱状ケースとを重ね合わせて、第１箱状ケースと第２箱状ケースとを組み立てることになる。
【０００７】
上記の制御装置の組み立てでは、２つの側壁の内側面それぞれを見ながら接続線の接続作業するため、第１箱状ケースと第２箱状ケースとを離した状態にする必要がある。その結果、接続線を長くする必要がある。そして、第１箱状ケースと第２箱状ケースの重ね合わせで、長くした接続線を、接続線を第１箱状ケースと第２箱状ケースの間に押し込む必要がある。接続線を押し込む工程が必要となるため、作業効率が低下する。また、押し込んだ接続線が、第１箱状ケースと第２箱状ケースの内部の部品と接触することがあり、その結果、制御装置の信頼性が低下することがある。
【０００８】
本発明は上記の課題を解決するためになされたもので、信頼性及び、組み立ての作業効率が高い制御装置を提供することを目的とする。
【課題を解決するための手段】
【０００９】
上記の目的を達成するため、本発明に係る制御装置は、底面が開放された第１箱状ケースと、上面が開放され、開放された上面側に第１箱状ケースが重ね合わされた第２箱状ケースと、外部装置に接続するための端子部と、外部装置を制御するための電気部品と、端子部から延びる接続線を電気部品に接続する接続部と、を備える。端子部は、第１箱状ケース及び第２箱状ケースのいずれか一方の内部かつ、その内部の中央に対して側壁の一部の側に配設されている。電気部品は、第１箱状ケース及び第２箱状ケースのいずれか他方に収容されている。また、接続部は、第１箱状ケース及び第２箱状ケースのいずれか他方の内部かつ、その内部の中央に対して側壁の一部の側に配設されている。制御装置は、外部装置を制御する。
【発明の効果】
【００１０】
本発明の構成によれば、第１箱状ケース及び第２箱状ケースのいずれか一方の側壁の一部に、第１箱状ケース及び第２箱状ケースのいずれか他方を隣り合わせた状態で、接続線を接続することができるため、接続線の長さを短くすることができる。その結果、接続線が、第１箱状ケースと第２箱状ケースの内部の部品に接触することを防止して、制御装置の信頼性を高めることができる。また、接続線の長さを短くすることができるため、接続線を押し込む工程をなくして、組み立ての作業効率を高めることができる。
【図面の簡単な説明】
【００１１】
【図１】本発明の実施の形態１に係る照明器具の制御装置の断面図
【図２】本発明の実施の形態１に係る照明器具の制御装置が備える第１箱状ケースの上面図
【図３】本発明の実施の形態１に係る照明器具の制御装置が備える第２箱状ケースの上面図
【図４】実施の形態１に係る照明器具の制御装置の組み立て方法を示す断面図
【図５】本発明の実施の形態２に係る照明器具の制御装置の断面図
【図６】実施の形態２に係る照明器具の制御装置の組み立て方法を示す断面図
【図７】本発明の実施の形態３に係る照明器具の制御装置の断面図
【図８】実施の形態３に係る照明器具の制御装置の組み立て方法を示す断面図
【図９】実施の形態３に係る照明器具の制御装置における変形例の断面図
【図１０】実施の形態３に係る照明器具の制御装置における変形例の組み立て方法を示す断面図
【発明を実施するための形態】
【００１２】
以下、本発明の実施の形態に係る制御装置及び制御装置の製造方法について図面を参照して詳細に説明する。なお、図中、同一又は同等の部分には同一の符号を付す。図に示す直交座標系ＸＹＺにおいて、制御装置の箱状ケースの端子部が設けられた面を上に向け、その面の一辺を左右方向に平行に配置した場合の、左右方向がＸ軸方向、上下方向がＺ軸方向、Ｘ軸とＺ軸とに直交する方向がＹ軸方向である。以下、適宜、この座標系を引用して説明する。
【００１３】
（実施の形態１）
実施の形態１に係る制御装置は、複数の照明器具の点灯、消灯、調光等を制御する、コンピュータを備える中央制御装置に接続され、複数の照明器具のうちの１つを、中央制御装置の出力信号に基づいて点灯、消灯、調光等させる、照明器具の制御装置である。この制御装置は、分電盤内に設置されて使用されるため、分電盤の蓋、分電盤内の他の装置、部品等に、制御装置の電気部品、接続線等が接触して破損することを防止する保護カバーが設けられている。以下、図１から図３を参照して、この制御装置の構成を説明する。
【００１４】
図１は本発明の実施の形態１に係る照明器具の制御装置の断面図である。図２は本発明の実施の形態１に係る照明器具の制御装置が備える第１箱状ケースの上面図である。図３は本発明の実施の形態１に係る照明器具の制御装置が備える第２箱状ケースの上面図である。なお、図２及び図３では、理解を容易にするため、接続線を省略して図示している。図１に示すように、制御装置１Ａは、保護カバーである第１箱状ケース１０、第２箱状ケース２０（以下、箱状ケース１０、２０と称する）を備えている。
【００１５】
箱状ケース１０は、上側から、すなわち＋Ｚ側から制御装置１Ａの部品を保護するため、Ｚ方向視で矩形状かつ＋Ｚ側に突出する凸部を有する形状に形成された上板１０Ｔと、上板１０Ｔの凸部から下側へ、すなわち、−Ｚ側へ延在する４つの側板を有している。ここで、４つの側板とは、図１及び図２に示す右側板１０Ｒ、左側板１０Ｌ、図２に示す前側板１０Ｆ及び、後側板１０Ｂのことである。制御装置１Ａの−Ｚ側は箱状ケース２０によって保護されるため、箱状ケース１０の底面は、板で覆われず、開放されている。
【００１６】
箱状ケース１０には、図１に示すように、中央制御装置からの又は照明器具への伝送信号を処理するための、図示しない電気部品が実装された伝送回路を備える第１回路基板１１が収容されている。第１回路基板１１は、矩形状に形成され、Ｚ方向の省スペース化を図るために、上板１０Ｔと平行に配置されている。そして、第１回路基板１１は、箱状ケース１０の上板１０Ｔに、スペーサ１３を介して図示しないネジで固定されている。
【００１７】
また、箱状ケース１０には、右側板１０Ｒ、左側板１０Ｌそれぞれの＋Ｚ端に端子部１２Ｒ、１２Ｌが設けられている。端子部１２Ｒ、１２Ｌは、上板１０Ｔの凸部と右側板１０Ｒ、左側板１０Ｌの箱内側との隙間Ｓに配設されている。そして、端子部１２Ｒ、１２Ｌには、端子電極が設けられ、その端子電極の上部が、中央制御装置から延在する伝送線と、外部電源から延在する電源線と、に接続されるため、隙間Ｓから箱状ケース１０の外部へ露出している。一方、端子部１２Ｒ、１２Ｌの端子電極の下部は、箱状ケース２０の後述する第２回路基板２１から延びる接続線３０Ｒ、３０Ｌに接続されるため、箱状ケース１０内かつ−Ｚ側へ延在している。
なお、端子部１２Ｒの、箱状ケース１０内へ延在した端子電極には、後述する接続線３０Ｒのほかに、第１回路基板１１から延びる接続線３３が接続されている。
【００１８】
一方、箱状ケース２０は、−Ｚ側から制御装置１Ａの部品を保護するため、矩形状に形成され、ＸＹ平面に平行に配置された底板２０Ｂと、底板２０Ｂの辺から＋Ｚ側に延在する４つの側板と、を有している。底板２０Ｂは、ＸＹ平面視で、箱状ケース１０の上板１０Ｔと同じ大きさ、形状の矩形である。そして、４つの側板の＋Ｚ端は、箱状ケース１０の４つの側板の−Ｚ端それぞれに当接して、箱状ケース１０の４つの側板に重ね合わされている。ここで、箱状ケース２０の４つの側板とは、図１及び図３に示す右側板２０Ｒ、左側板２０Ｌ、図３に示す前側板２０Ｆ及び、後側板２０Ｂのことである。なお、この箱状ケース２０の４つの側板は、図示しない固定金具によって、箱状ケース１０の４つの側板に固定されている。また、箱状ケース２０には、図示しないが、分電盤内に制御装置１Ａが設置されたときに、分電盤の被取付部品に制御装置１Ａを取り付けるための取付金具が設けられている。
【００１９】
また、制御装置１Ａの＋Ｚ側は、箱状ケース１０によって保護されるため、図１に示すように、箱状ケース２０の上面は、板で覆われずに開放されている。
【００２０】
箱状ケース２０には、箱状ケース１０の、伝送回路を有する第１回路基板１１に熱が伝導することを防止するために、電源回路、すなわち、外部電源からの電力を任意の電圧に変換する、図示しない変圧器、電源の切換をするスイッチング素子等を含む第２回路基板２１が収容されている。
【００２１】
第２回路基板２１は矩形状に形成されている。そして、第２回路基板２１は、Ｚ方向の省スペース化を図るため、第１回路基板１１と平行に配置され、スペーサ２３を介して図示しないネジによって底板２０Ｂに固定されている。
【００２２】
第２回路基板２１には、電源線、伝送線等の接続線３０Ｒ、３０Ｌによって、１つ以上のネジ端子１２０をそれぞれ備えた端子部１２Ｒ、１２Ｌと接続するため、接続部２４が設けられている。接続部２４は、第２回路基板２１の配線電極から延在する端子電極を有する。接続部２４は、後述する制御装置１Ａの組み立て作業を容易にするため、箱状ケース２０のＸ方向中央よりも−Ｘ側に寄せた状態で、すなわち、端子部１２Ｌ側又は左側板２０Ｌ側に寄せた状態で第２回路基板２１に配設されている。また、箱状ケース２０のＸ方向中央よりも−Ｘ側だけに配設されている。
【００２３】
接続部２４が箱状ケース２０の−Ｘ側に寄せた状態で配設されているため、制御装置１Ａでは、−Ｘ側の端子部１２Ｌに接続された接続線３０Ｌの長さが、＋Ｘ側の端子部１２Ｒに接続された接続線３０Ｒの長さよりも短い。
【００２４】
詳細には、後述する制御装置１Ａの組み立てで、箱状ケース１０の−Ｘ側にある左側板１０Ｌと、箱状ケース２０の−Ｘ側にある左側板２０Ｌと、を重ねあわせることから、接続線３０Ｌは、図１に示す距離Ｌ１、Ｌ２、Ｌ３を足して得られた距離よりも長い。ここで、距離Ｌ１は、接続部２４から左側板２０Ｌの＋Ｚ端までの距離、距離Ｌ２は、左側板２０Ｌの＋Ｚ端から端子部１２Ｌの−Ｚ端までの距離、距離Ｌ３は、端子部１２Ｌの−Ｚ端から端子部１２Ｌの接続線３０Ｌの接続箇所までの距離、である。なお、接続線３０Ｒは、端子部１２Ｒ、１２Ｌの間隔Ｐよりも長い。
【００２５】
このような長さの接続線３０Ｌによって、箱状ケース１０の端子部１２Ｌと、箱状ケース２０の接続部２４とが接続されている。次に、図４を参照して、接続部線３０Ｌの接続方法を含む制御装置１Ａの組み立て方法について説明する。図４は実施の形態１に係る照明器具の制御装置の組み立て方法を示す断面図である。
【００２６】
まず、上述した形状に成形され、第１回路基板１１及び端子部１２Ｒ、１２Ｌが設置された箱状ケース１０と、上述した形状に成形され、第２回路基板２１が設置された箱状ケース２０と、上述した長さに加工された接続線３０Ｒ、３０Ｌと、を用意する。なお、箱状ケース２０には、接続部２４が箱状ケース２０の中央よりも左側板２０Ｌ側に位置させた状態で、第２回路基板２１を、取り付けておく。また、箱状ケース１０と２０は、望ましくは、分電盤の遮断器の互換性を確保するために設定された協約寸法に成形する。
【００２７】
次に、用意した箱状ケース２０の底板２０Ｂを下、すなわち、開放された上面に対して−Ｚ側に向けた状態にし、続けて、箱状ケース２０内の第２回路基板２１の接続部２４に、接続線３０Ｒ、３０Ｌの一端を接続する。一方、用意した箱状ケース１０の上板１０Ｔを上、すなわち、開放された底面に対して＋Ｚ側に向けた状態にし、その状態のまま、箱状ケース２０の−Ｘ側に、箱状ケース１０を隣接させる。続いて、接続線３０Ｒ、３０Ｌの他端を、端子部１２Ｒ、１２Ｌに接続する。
【００２８】
次に、図４に示すように、接続線３０Ｒ、３０Ｌが接続された箱状ケース１０の左側板１０Ｌの−Ｚ端を、箱状ケース２０の左側板２０Ｌの＋Ｚ端に当接させる。続いて、箱状ケース１０を、左側板１０Ｌの−Ｚ端を中心にして、矢印Ａ方向の方向へ回転させる。そして、箱状ケース１０を箱状ケース２０に被せる。これにより、箱状ケース１０は、開放された底面が箱状ケース２０に向けられた状態で、箱状ケース２０に重ね合わされる。
【００２９】
その後、箱状ケース１０と箱状ケース２０とを図示しない固定金具で固定する。以上の工程により、制御装置１Ａの組み立てが完了する。
【００３０】
なお、接続線３０Ｒ、３０Ｌを端子部１２Ｒ、１２Ｌに接続した後、接続線３０Ｒ、３０Ｌが引っ張られてその位置が変わることを防ぐため、結束バンド、リードクランパー（ケーブルクランプとも称する）などの拘束部材で、接続線３０Ｒ、３０Ｌを拘束し、その結束部材を第１回路基板１１、第２回路基板２１に固定してもよい。この場合、接続線３０Ｒ、３０Ｌの位置が変わって第１回路基板１１に接触することが防止され、その結果、制御装置１Ａの信頼性が低下することを防止することができる。また、拘束部材を箱状ケース２０の左側板２０Ｌに固定してもよい。この場合、箱状ケース１０と２０とを重ね合わせるときに、接続線３０Ｒ、３０Ｌが箱状ケース１０と２０との間に噛みこみにくくすることができる。
【００３１】
以上のように、実施の形態１に係る制御装置１Ａでは、端子部１２Ｌが箱状ケース１０の左側板１０Ｌに設けられている。また、接続部２４が、箱状ケース２０のＸ方向中央よりも−Ｘ側に、すなわち、左側板１０Ｌ、２０Ｌ側に設けられている。このため、箱状ケース１０の左側板１０Ｌに、箱状ケース２０の左側板２０Ｌを隣接させた状態で、接続線３０Ｌを端子部１２Ｌに接続することができる。その結果、接続作業を容易にして作業効率を高めることができる。
【００３２】
箱状ケース１０の左側板１０Ｌに、箱状ケース２０の左側板２０Ｌを隣接させた状態で、接続線３０Ｌを、端子部１２Ｌに接続することができるので、短い接続線３０Ｌを使用することができる。短い接続線３０Ｌを使用することによって、箱状ケース１０を箱状ケース２０に重ね合わせるときに、接続線３０Ｌを箱状ケース１０と箱状ケース２０との間に挟まりにくくすることができる。また、短い接続線３０Ｌを使用することによって、箱状ケース１０内の伝送回路に接続線３０Ｌが接触することを防止して、制御装置１Ａの信頼性を高めることができる。
【００３３】
（実施の形態２）
実施の形態２に係る制御装置では、第２回路基板２１が配線基板を備えている。以下に図５及び図６を参照して実施の形態２に係る制御装置の構成を説明する。実施の形態２では、実施の形態１と異なる構成について説明する。
【００３４】
図５は本発明の実施の形態２に係る照明器具の制御装置の断面図である。図６は実施の形態２に係る照明器具の制御装置の組み立て方法を示す断面図である。
図５及び図６に示すように、制御装置１Ｂは、接続線３０Ｒ、３０Ｌの引き回しを容易にするための、中継基板で構成された配線基板２５を備えている。
【００３５】
配線基板２５は、スペーサ２６を介して第２回路基板２１に固定されている。配線基板２５には、図示しない配線電極が形成され、その配線電極は、接続線３１、３２によって第２回路基板２１に形成された図示しない入出力用電極と接続されている。また、配線基板２５の配線電極には、接続部２７が設けられている。
【００３６】
接続部２７は、制御装置１Ｂの組み立て作業を容易にするため、箱状ケース２０のＸ方向中央よりも端子部１２Ｌ側又は左側板２０Ｌ側に配設されている。また、接続部２７は、箱状ケース２０の端子部１２Ｌ側又は左側板２０Ｌ側に配設されている。そして、接続部２７は、接続線３０Ｒ、３０Ｌによって端子部１２Ｒ、１２Ｌと接続されている。
【００３７】
実施の形態２に係る制御装置１Ｂの組み立て方法は、上述した配線基板２５が設けられた第２回路基板２１を備える箱状ケース２０を用意し、配線基板２５の接続部２７と端子部１２Ｒ、１２Ｌとを接続線３０Ｒ、３０Ｌで接続することを除いて、実施の形態１で説明した組み立て方法と同じである。このため、実施の形態２に係る制御装置１Ｂの組み立て方法の説明は省略する。
【００３８】
以上のように、実施の形態２に係る制御装置１Ｂは、第２回路基板２１の入出力用電極と、端子部１２Ｒ、１２Ｌとの接続を中継する配線基板２５が設けられているので、第２回路基板２１と端子部１２Ｒ、１２Ｌとの接続が容易である。また、接続線３０Ｒ、３０Ｌの長さを短くすることができる。
【００３９】
第２回路基板２１と端子部１２Ｒ、１２Ｌとの接続に多数の接続線３０Ｒ、３０Ｌ、３１、３２が必要な場合、第２回路基板２１のＸＹ平面での大きさを大型化させることなく、接続部２７に接続を集約することができる。
【００４０】
制御装置１Ｂにおいても、接続部２７が、実施の形態１と同様に、箱状ケース２０のＸ方向中央よりも左側板１０Ｌ、２０Ｌ側に設けられているので、箱状ケース１０の左側板１０Ｌに、箱状ケース２０の左側板２０Ｌを隣接させた状態で、接続線３０Ｌを端子部１２Ｌに接続することができる。その結果、接続作業を容易にして作業効率を高めることができる。
【００４１】
（実施の形態３）
実施の形態３に係る制御装置は、箱状ケース２０に箱状ケース１０を回動可能に支持させるヒンジを備えている。以下に図７及び図８を参照して実施の形態３に係る制御装置の構成を説明する。実施の形態３は、実施の形態１とヒンジ４０を備えることを除いて同じ構成であるため、そのヒンジ４０について説明する。
【００４２】
図７は本発明の実施の形態３に係る照明器具の制御装置の断面図である。図８は実施の形態３に係る照明器具の制御装置の組み立て方法を示す断面図である。
図７に示すように、制御装置１Ｃには、組み立て作業を容易にするために、ヒンジ４０が設けられている。
【００４３】
ヒンジ４０は、箱状ケース１０の左側板１０Ｌと箱状ケース２０の左側板２０Ｌの−Ｘ側に設けられている。そして、ヒンジ４０は、箱状ケース１０の左側板１０Ｌの−Ｚ端と、箱状ケース２０の左側板２０Ｌの＋Ｚ端と、を接続している。そして、ヒンジ４０は、箱状ケース２０の左側板２０Ｌの＋Ｚ端の−Ｘ側に位置する図示しない軸を中心にして、図８に示すように、箱状ケース１０を矢印Ａ又はＢの方向に回動可能にしている。
【００４４】
実施の形態３に係る制御装置１Ｃの組み立て方法は、第２回路基板２１の接続部２４に、接続線３０Ｒ、３０Ｌを接続する前、箱状ケース１０の左側板１０Ｌの−Ｚ端と、箱状ケース２０の左側板２０Ｌの＋Ｚ端と、をヒンジ４０で接続することを除いて、実施の形態１の組み立て方法と同じである。このため、実施の形態３に係る制御装置１Ｃの組み立て方法の説明は省略する。
【００４５】
以上のように、制御装置１Ｃでは、ヒンジ４０が箱状ケース１０の左側板１０Ｌの−Ｚ端と、箱状ケース２０の左側板２０Ｌの＋Ｚ端と、を接続しているので、制御装置１Ｃの組み立てにおいて、箱状ケース２０に箱状ケース１０を容易かつ正確に重ね合わせることができる。
【００４６】
なお、ヒンジ４０は、実施の形態２で説明した制御装置１Ｂに用いられてもよい。
図９は実施の形態３に係る照明器具の制御装置における変形例の断面図である。図１０は実施の形態３に係る照明器具の制御装置における変形例の組み立て方法を示す断面図である。図９及び図１０に示すように、ヒンジ４０は、制御装置１Ｂの、箱状ケース１０の左側板１０Ｌの−Ｚ端と、箱状ケース２０の左側板２０Ｌの＋Ｚ端と、を接続してもよい。この場合、配線基板２５を備える制御装置１Ｂにおいても、箱状ケース２０に箱状ケース１０を容易かつ正確に重ね合わせることができる。
【００４７】
以上、本発明の実施の形態を説明したが、本発明は上記の実施の形態に限定されるものではない。実施の形態１−３では、箱状ケース１０に、端子部１２Ｒ、１２Ｌが設けられ、箱状ケース２０に、接続部２４、２７が設けられている。しかし、逆に、箱状ケース１０に、接続部２４、２７が設けられ、箱状ケース２０に、端子部１２Ｒ、１２Ｌが設けられてもよい。本発明では、端子部１２Ｒ、１２Ｌと接続部２４、２７とが別々のケース、例えば、上部ケースと下部ケース、又は前部ケースと後部ケースに設けるものであればよい。
【００４８】
実施の形態１−３では、制御装置１Ａ、１Ｂ、１Ｃが制御する電気機器が照明器具である。しかし、本発明は、任意の電気機器に適用可能である。例えば、電気機器が実施の形態１−３で説明した中央制御装置であってもよい。
【００４９】
実施の形態１−３では、制御装置１Ａ、１Ｂ、１Ｃが照明器具への伝送信号を処理する制御をしているが、制御装置１Ａ、１Ｂ、１Ｃの制御は、伝送信号を増幅するものであってもよい。この場合、制御装置１Ａ、１Ｂ、１Ｃは、多数の照明器具を制御する照明システムに、照明器具を増設するための増幅装置として機能する。
【００５０】
実施の形態１−３では、端子部１２Ｌが箱状ケース１０の左側板１０Ｌに設けられ、接続部２４又は２７が箱状ケース１０の左側板１０Ｌ側及び箱状ケース２０の左側板２０Ｌ側に設けられている。しかし、本発明は、これに限定されない。本発明では、箱状ケース１０、２０のいずれか一方の内部かつ、その内部の中央に対して側壁の一部の側に端子部１２Ｒ又は１２Ｌが設けられている場合、接続部２４、２７がその側壁の一部の側に設けられていればよい。換言すると、端子部１２Ｒ又は１２Ｌと、接続部２４、２７とが、同じ側壁側に設けられていればよい。例えば、箱状ケース１０がＺ方向視で、楕円状の側壁を有し、かつ、箱状ケース２０が箱状ケース１０の側壁とＺ方向視で同じ形状、大きさの楕円状の側壁を有する場合に、端子部１２Ｒが箱状ケース１０の側壁の一部分に隣り合って設けられ、接続部２４が、箱状ケース２０の中央を基準にして箱状ケース１０の側壁の一部分と同じ側の、箱状ケース２０の側壁の一部分に隣り合って設けられてもよい。
【００５１】
実施の形態１−３では、制御装置１Ａ、１Ｂ、１Ｃが分電盤に設置されるものであるが、制御装置１Ａ、１Ｂ、１Ｃは、分電盤以外の箇所に設置されてもよい。本発明では、制御装置１Ａ、１Ｂ、１Ｃは、箱状ケース１０と２０とが内部の電気部品を保護するものであればよく、このため、制御装置１Ａ、１Ｂ、１Ｃは、例えば、多数の接続線が密集する電気機器内部、又は、電気部品が実装された回路基板上に設置されてもよい。
【００５２】
実施の形態１−３では、端子部１２Ｒ、１２Ｌ及び接続部２４、２７が端子電極を有するが、本発明はこれに限定されない。端子部１２Ｒ、１２Ｌ及び接続部２４、２７は、伝送線、電源線等の接続線が接続可能なものであればよい。例えば、端子部１２Ｒ、１２Ｌは、光ケーブルやＬＡＮケーブルが接続可能なコネクタであってもよい。
【符号の説明】
【００５３】
１Ａ、１Ｂ、１Ｃ  制御装置、１０  箱状ケース、１０Ｔ  上板、１０Ｆ  前側板、１０Ｂ  後側板、１０Ｒ  右側板、１０Ｌ  左側板、１１  第１回路基板、１２Ｒ、１２Ｌ  端子部、１３  スペーサ、２０  箱状ケース、２０Ｂ  底板、２０Ｆ  前側板、２０Ｂ  後側板、２０Ｒ  右側板、２０Ｌ  左側板、２１  第２回路基板、２３  スペーサ、２４  接続部、２５  配線基板、２６  スペーサ、２７  接続部、３０Ｒ、３０Ｌ、３１、３２、３３  接続線、４０  ヒンジ、１２０  ネジ端子、Ａ、Ｂ  矢印、Ｌ１、Ｌ２、Ｌ３  距離、Ｐ  間隔、Ｓ  隙間。
【図１】
2018152377.tif 000003
【図２】
2018152377.tif 000004
【図３】
2018152377.tif 000005
【図４】
2018152377.tif 000006
【図５】
2018152377.tif 000007
【図６】
2018152377.tif 000008
【図７】
2018152377.tif 000009
【図８】
2018152377.tif 000010
【図９】
2018152377.tif 000011
【図１０】
2018152377.tif 000012